(57)【要約】【課題】工作物にスクラッチ傷が発生することを抑制し、かつ、確実に穿孔加工が可能な超砥粒工具を提供することを目的とする。【解決手段】超砥粒工具１０は、穿孔側に開口を有する円筒状の台金３０と、円筒状の台金３０の先端部３１に切れ刃として超砥粒を結合材で結合した超砥粒層２０を備え、円筒状の台金３０の少なくとも外周面３８には軟質材からなる突条部４０が設けられている。台金３０の一端側に開口が設けられ、他方端側に底部５０が設けられている。【選択図】図１
2014018899.tif 000002
【特許請求の範囲】
【請求項１】
先端部が開口した円筒状の台金と、
前記台金の先端部に設けられた超砥粒層とを備え、
前記台金の外周面には、前記台金よりも軟らかい軟質材からなる突条部が設けられている、超砥粒工具。
【請求項２】
前記軟質材は、ゴム、樹脂および軟質金属からなる群より選択された少なくとも一種を含む、請求項１に記載の超砥粒工具。
【請求項３】
前記突条部は固体潤滑材を含む、請求項１または２に記載の超砥粒工具。
【請求項４】
前記突条部は硬質粒子を含む、請求項１から３のいずれか１項に記載の超砥粒工具。
【請求項５】
前記突条部は螺旋状に設けられる、請求項１から４のいずれか１項に記載の超砥粒工具。
【請求項６】
前記突条部は、１条以上設けられている、請求項５に記載の超砥粒工具。
【請求項７】
前記突条部は、ねじれ角が５度以上８５度以下となるように設けられている、請求項１から６のいずれか１項に記載の超砥粒工具。
【請求項８】
前記突条部の幅は０．３ｍｍ以上高さが０．３ｍｍ以上である、請求項１から７のいずれか１項に記載の超砥粒工具。
【請求項９】
前記超砥粒層は複数の超砥粒チップを有し、前記超砥粒チップがワークに接触した状態で前記台金を回転させることによりワークが加工され、前記突条部は前記超砥粒チップの回転方向上流側を起点として設けられている、請求項１から８のいずれか１項に記載の超砥粒工具。
【請求項１０】
前記チップの先端面は円弧状である、請求項９に記載の超砥粒工具。
【請求項１１】
前記超砥粒層は内周面を含み、少なくとも工作物に接触するその内周面の振れ精度は、２０μｍ以内である、請求項１から１０のいずれか１項に記載の超砥粒工具。
【請求項１２】
前記超砥粒層は内周面、外周面および先端面を含み、少なくとも工作物に接触する前記外周面、および少なくとも工作物に接触する前記先端面の振れ精度は、それぞれ２０μｍ以内である、請求項１から１１のいずれか１項に記載の超砥粒工具。
【請求項１３】
前記外周面、前記内周面および前記先端面の少なくとも工作物に接触する表面はそれぞれがドレッシングされている、請求項１２に記載の超砥粒工具。
【請求項１４】
前記外周面と前記先端面のコーナー部および前記内周面と前記先端面とのコーナー部には、それぞれ面取りまたは丸みが設けられている、請求項１から１３のいずれか１項に記載の超砥粒工具。
【請求項１５】
請求項１から１４のいずれか１項に記載の超砥粒工具を用いて、ガラス、光学ガラス、石英ガラス、セラミックス、シリコン、サファイヤ、単結晶炭化ケイ素および窒化ガリウムからなる群より選択された少なくとも一種のワークに穿孔する方法。
【請求項１６】
穿孔深さが５０ｍｍ以上である、請求項１５に記載のワークに穿孔する方法。
【請求項１７】
請求項１から１４のいずれか１項に記載の超砥粒工具を用いて、ガラス、光学ガラス、石英ガラス、セラミックス、シリコン、サファイヤ、単結晶炭化ケイ素および窒化ガリウムからなる群より選択された少なくとも一種のワークから台金内に円柱体を切り出す方法。
【請求項１８】
円柱体の高さが５０ｍｍ以上である、請求項１７に記載の円柱体を切り出す方法。
【発明の詳細な説明】
【技術分野】
【０００１】
本発明は、超砥粒工具およびこれを用いた穿孔加工法（ワークに穿孔する方法）ならびに円柱加工法（円柱体を切り出す方法）に関する。
【背景技術】
【０００２】
従来のこの種の工具としては、円筒状台金の内周面および外周面にダイヤモンド砥粒を螺旋状に電着したダイヤモンド砥粒層を設けた超砥粒工具が知られている。
【０００３】
ダイヤモンド砥粒層により、穿孔加工中に発生する切り屑の粒子径を小さくして、円筒状台金と工作物との隙間からスムーズに排出することによって、研削液の供給量と排出量を十分に確保して、効率の良い穿孔加工を可能とする機能を設けたものである（例えば、特許文献１）。
【０００４】
別の従来のこの種の工具としては、円筒状台金の外周面に角ネジの螺旋状突条部を設けた超砥粒工具が知られている。
【０００５】
角ネジの螺旋状突条を設けることにより、穿孔加工中に発生する切り屑を円筒状台金と工作物との隙間からスムーズに排出して、効率の良い穿孔加工を可能とする機能を設けたものである（例えば、特許文献２）。
【０００６】
さらに別の従来のこの種の工具としては、円筒状台金の外周面に螺旋状溝を設けた超砥粒工具が知られている。
【０００７】
螺旋状溝を設けることにより、穿孔加工中に発生する切り屑を円筒状台金と工作物との隙間からスムーズに排出して、効率の良い穿孔加工を可能とする機能を設けたものである（例えば、特許文献３）。
【先行技術文献】
【特許文献】
【０００８】
【特許文献１】特開２０００−３０９０１３号公報
【特許文献２】特開平４−３２５２０７号公報
【特許文献３】特開平１１−３４７８２０号公報
【発明の概要】
【発明が解決しようとする課題】
【０００９】
しかしながら、従来の超砥粒工具で穿孔加工を行うと、ビビリ振動を発生して穿孔加工が実施できない問題が発生することがあった。さらに、工作物に切り屑との擦れ合いにより、スクラッチ傷が発生する問題も発生した。
【００１０】
そこで、この発明は上記の問題を解決するためになされたものであり、工作物にスクラッチ傷が発生することを抑制し、かつ、確実に穿孔加工が可能な超砥粒工具を提供することを目的とする。
【課題を解決するための手段】
【００１１】
この発明に従った超砥粒工具は、先端部が開口した円筒状の台金と、台金の先端部に設けられた超砥粒層とを備え、台金の外周面には、台金よりも軟らかい軟質材からなる突条部が設けられている。
【００１２】
このように構成された超砥粒工具では、台金よりも軟らかい軟質材からなる突条部が設けられているため、これにより工作物を保護できるため、工作物へのスクラッチ傷の発生を抑制することができる。さらに、この突条部により振動を吸収することができる。
【００１３】
好ましくは、軟質材は、ゴム、樹脂および軟質金属からなる群より選択された少なくとも一種を含む。
【００１４】
好ましくは、突条部は固体潤滑材を含む。
好ましくは、突条部は硬質粒子を含む。
【００１５】
好ましくは、突条部は螺旋状に設けられる。
好ましくは、突条部は、１条以上設けられている。
【００１６】
好ましくは、突条部は、ねじれ角が５度以上８５度以下となるように設けられている。
好ましくは、突条部の幅は０．３ｍｍ以上高さが０．３ｍｍ以上である。
【００１７】
好ましくは、超砥粒層は複数の超砥粒チップを有し、超砥粒チップがワークに接触した状態で台金を回転させることによりワークが加工され、突条部は超砥粒チップの回転方向上流側を起点として設けられている。
【００１８】
好ましくは、超砥粒チップの先端面は円弧状である。
好ましくは、超砥粒層は内周面を含み、少なくとも工作物に接触するその内周面の振れ精度は、２０μｍ以内である。
【００１９】
好ましくは、超砥粒層は内周面、外周面および先端面を含み、少なくとも工作物に接触する外周面、および少なくとも工作物に接触する先端面の振れ精度は、それぞれ２０μｍ以内である。
【００２０】
好ましくは、外周面、内周面および先端面の少なくとも工作物に接触する表面はそれぞれがドレッシングされている。
【００２１】
好ましくは、外周面と先端面のコーナー部および内周面と先端面とのコーナー部には、それぞれ面取りまたは丸みが設けられている。
【００２２】
この発明に従ったワークに穿孔する方法は、上記のいずれかに記載の超砥粒工具を用いて、ガラス、光学ガラス、石英ガラス、セラミックス、シリコン、サファイヤ、単結晶炭化ケイ素および窒化ガリウムからなる群より選択された少なくとも一種のワークに穿孔する方法である。
【００２３】
好ましくは、穿孔深さが５０ｍｍ以上である。
この発明に従った円柱体を切り出す方法は、上記のいずれかの超砥粒工具を用いて、ガラス、光学ガラス、石英ガラス、セラミックス、シリコン、サファイヤ、単結晶炭化ケイ素および窒化ガリウムからなる群より選択された少なくとも一種のワークから台金内に円柱体を切り出す方法である。
【００２４】
好ましくは、円柱体の高さが５０ｍｍ以上である。
【図面の簡単な説明】
【００２５】
【図１】この発明の実施の形態１に従った超砥粒工具の正面図である。
【図２】この発明の実施の形態１に従った超砥粒工具の平面図である。
【図３】この発明の実施の形態１に従った超砥粒工具の底面図である。
【図４】図２中のＩＶ−ＩＶ線に沿った断面図である。
【図５】図４中のＶ−Ｖ線で囲んだ部分の拡大図である。
【図６】この発明の実施の形態１に従った超砥粒工具の斜視図である。
【図７】この発明の実施の形態２に従った超砥粒工具の正面図である。
【図８】この発明の実施の形態２に従った超砥粒工具の平面図である。
【図９】この発明の実施の形態２に従った超砥粒工具の底面図である。
【図１０】図８中のＸ−Ｘ線に沿った断面図である。
【図１１】図１０中のＸＩ−ＸＩ線で囲んだ部分の拡大図である。
【図１２】この発明の実施の形態２に従った超砥粒工具の斜視図である。
【図１３】この発明の実施の形態３に従った超砥粒工具の正面図である。
【図１４】この発明の実施の形態３に従った超砥粒工具の平面図である。
【図１５】この発明の実施の形態３に従った超砥粒工具の底面図である。
【図１６】図１４中のＸＶＩ−ＸＶＩ線に沿った断面図である。
【図１７】図１６中のＸＶＩＩ−ＸＶＩＩ線で囲んだ部分の拡大図である。
【図１８】この発明の実施の形態３に従った超砥粒工具の斜視図である。
【図１９】この発明の実施の形態４に従った超砥粒工具の正面図である。
【図２０】この発明の実施の形態４に従った超砥粒工具の平面図である。
【図２１】この発明の実施の形態４に従った超砥粒工具の底面図である。
【図２２】図２０中のＸＸＩＩ−ＸＸＩＩ線に沿った断面図である。
【図２３】図２２中のＸＸＩＩＩ−ＸＸＩＩＩ線で囲んだ部分の拡大図である。
【図２４】この発明の実施の形態４に従った超砥粒工具の斜視図である。
【発明を実施するための形態】
【００２６】
以下、この発明の実施の形態について、図面を参照して説明する。以下の実施の形態では同一または相当する部分については同一の参照符号を付す。また、各実施の形態を組み合わせることも可能である。
【００２７】
（実施の形態１）
図１は、この発明の実施の形態１に従った超砥粒工具の正面図である。図２は、この発明の実施の形態１に従った超砥粒工具の平面図である。図３は、この発明の実施の形態１に従った超砥粒工具の底面図である。図４は、図２中のＩＶ−ＩＶ線に沿った断面図である。図５は、図４中のＶ−Ｖ線で囲んだ部分の拡大図である。図６は、この発明の実施の形態１に従った超砥粒工具の斜視図である。
【００２８】
これらの図を参照して、超砥粒工具１０は、穿孔側に開口３２を有する円筒状の台金３０と、円筒状の台金３０の先端部３１に切れ刃として超砥粒を結合材で結合した超砥粒層２０を備え、円筒状の台金３０の少なくとも外周面３８には軟質材からなる突条部４０が設けられている。台金３０の一端側に開口３２が設けられ、他方端側に底部５０が設けられている。
【００２９】
突条部４０は、円筒状の台金３０の少なくとも外周面３８に設けられる。円筒状の台金３０の外周面３８と内周面３９の両方に設けることもできる。
【００３０】
超砥粒工具１０の突条部４０を構成する軟質材は、ゴム、樹脂、軟質金属等から選択された１つ以上である。ゴムとしては天然ゴム、合成ゴム（アクリルゴム、ニトリルゴム、ウレタンゴム、シリコンゴム等）を用いることができ、特に材質に限定されない。樹脂としては、熱可塑性樹脂（ポリエチレン、ポリプロピレン、テフロン（登録商標）、ポリスチレン等）、熱硬化性樹脂（熱硬化性ポリイミド、ポリウレタン、アルキド樹脂、メラミン樹脂、フェノール樹脂、エポキシ樹脂等）、エンジニアリング・プラスチック（ポリアミド、ポリアセタール、ポリカーボネート等）を用いることができ、特に材質に限定されない。軟質金属としては、アルミおよびアルミ合金、銅および銅合金などを用いることができ、特に材質に限定されない。軟質材料は、上記の材料から１つ、または２つ以上を組み合わせて用いることもできる。
【００３１】
突条部４０は台金３０の材質よりも軟らかい軟質材を用いる。軟質材の硬さを測定するには、ロックウエル硬さ試験機を用いる。台金３０は、通常鋼材が用いられるので、測定スケールはＣスケールである。例えば、樹脂等の軟質材の硬さを測定するためにはＲスケール、ＬスケールまたはＭスケールを使用する。
【００３２】
軟質材からなる突条部４０を設けることにより、加工時に発生する振動を吸収するので、振動抑制効果により良好な工作物の表面粗さが得られる。
【００３３】
超砥粒工具１０では、突条部４０は、好ましくは、固体潤滑剤粒子を含む。固体潤滑剤としては、グラファイト（黒鉛）、二硫化モリブデン、二硫化タングステン、四フッ化エチレン（ＰＴＦＥ）、六方晶窒化ホウ素等の材料から１つ、または２つ以上を組み合わせて用いることもできる。
【００３４】
突条部４０は、硬質粒子を含んでもよい。硬質粒子としては、ＣＢＮ（立方晶窒化ホウ素）、酸化アルミニウム、炭化ケイ素等の材料から１つ、または２つ以上を組み合わせて用いることもできる。
【００３５】
突条部４０は、好ましくは、螺旋状に設けられている。突条部４０は、台金３０の開口３２を起点として切れ目が無く成形され、台金３０後方の端まで連なって形成することが好ましい。突条部４０の長さは、工作物への切り込み深さより長いことがより好ましい。
【００３６】
突条部４０は、１条以上設けることができる。超砥粒工具１０が回転したときにアンバランスを生じて、振動しないように設けることが好ましい。さらに、研削液を供給しながら本発明の超砥粒工具で加工をする際には、研削液と切り屑をスムーズに超砥粒工具の外部に排出して、切り屑が加工中の工作物の底部に滞留しないよう突条部を適宜に設ける。
【００３７】
好ましくは、突条部４０のねじれ角θが５度〜８５度に設けられている。突条部４０のねじれ角θは、研削液を供給しながら超砥粒工具１０で加工をする際には、研削液と切り屑をスムーズに外部に排出して、切り屑が加工中の工作物の底部に滞留しないようにするために最適な角度を設定する。
【００３８】
５度未満では排出効果が著しく低下する。また８５度を超えるときは排出効果が著しく低下する。
【００３９】
より詳しくは、ねじれ角θは、５度〜８０度がより好ましく、５度〜７０度であることが最も好ましい。
【００４０】
ここで、ねじれ角θとは、突条部４０と、この上の一点を通る超砥粒工具１０の回転軸に平行な直線とがなす角度のことである。ねじれ角θは、ＪＩＳ  Ｂ０１７１の番号３００４における「ねじれ角」およびＪＩＳ  Ｂ０１７２の番号６０２３における「ねじれ角」と同義である。
【００４１】
突条部４０の寸法は、幅Ｗが０．３ｍｍ以上、高さＨが０．３ｍｍ以上に設けられていることが好ましい。
【００４２】
突条部４０の寸法で、幅Ｗおよび高さＨは、研削液を供給しながら本発明の超砥粒工具１０で加工をする際には、研削液と切り屑をスムーズに外部に排出して、切り屑が加工中の工作物の底部に滞留しないようにするために最適な寸法を設定する。
【００４３】
突条部４０の寸法は、幅Ｗが０．５ｍｍ以上５０ｍｍ以下、高さＨが０．３ｍｍ以上で工作物との隙間が０．０１ｍｍ以上あることがより好ましく、幅が１ｍｍ以上５０ｍｍ以下、高さが０．５ｍｍ以上で工作物との隙間が０．０３ｍｍ以上あることが最も好ましい。
【００４４】
ここで、幅Ｗとは突条部４０の長さ方向に対して直角方向の幅のことである。高さＨとは台金３０からの突出高さで最も高い箇所の高さのことである。
【００４５】
突条部４０は、超砥粒層２０のチップの回転方向上流側を起点として設けられていることが好ましい。
【００４６】
超砥粒層２０のチップの回転方向上流側の側面２５を起点として突条部４０を設けることにより、回転方向に対して先行する超砥粒層２０が加工に際して発生した切り屑を、工作物の外部にスムーズに排出することができる。このような効果により、先行する超砥粒層２０が発生した切り屑が工作物の底に滞留することがなく、後方の超砥粒層２０は咬み込むこともないので、超砥粒工具の良好な切れ味が長時間に渡って持続する。さらに、切り屑を咬み込むことがない効果により、工作物にスクラッチ（引っ掻き傷）を発生することがない。従って、極めて良好な工作物の表面粗さを得ることができる。
【００４７】
超砥粒層２０のチップの先端面２２は円弧状である。超砥粒層２０は内周面２１を含み、少なくとも工作物に接触するその内周面２１の振れ精度は、２０μｍ以内であることが好ましい。振れ精度は、ＪＩＳ  Ｂ−４１３１の表２７「ホイール作用面の振れの測定」に従って測定する。測定器具として、ＪＩＳ  Ｂ−７５０３のダイヤルゲージを用いることができる。
【００４８】
超砥粒層２０は内周面２１、外周面２３および先端面２２を含み、少なくとも工作物に接触する外周面２３、および少なくとも工作物に接触する先端面２２の振れ精度は、それぞれ２０μｍ以内であることが好ましい。
【００４９】
外周面２３、内周面２１および先端面２２の少なくとも工作物に接触する表面はそれぞれがドレッシングされていることが好ましい。
【００５０】
外周面２３と先端面２２のコーナー部および内周面２１と先端面２２とのコーナー部には、それぞれ丸みが設けられていることが好ましい。
【００５１】
超砥粒工具１０は、ガラス、光学ガラス、石英ガラス、各種セラミックス、シリコン、サファイヤ等の穿孔加工および円柱加工する方法を提供する。言うまでもなく、工作物の材質は、上記記載の材質に限定されない。
【００５２】
超砥粒工具１０は、穿孔深さまたは円柱長さが５０ｍｍ以上である穿孔加工法および円柱加工法を提供する。突条部４０の幅、高さ、長さ、条数および、ねじれ角を工作物の材質、加工条件（超砥粒工具の回転数、研削液の種類等）に対して最適に設定すれば、穿孔深さまたは円柱長さが３００ｍｍ以上でも可能である。
【００５３】
超砥粒工具１０によれば、ガラス、各種セラミックス、シリコン、サファイヤ、単結晶炭化ケイ素および窒化ガリウム等の切り込み深さが５０ｍｍを超える場合であってもスムーズな穿孔加工および円柱加工が可能である。
【００５４】
（実施の形態２）
図７は、この発明の実施の形態２に従った超砥粒工具の正面図である。図８は、この発明の実施の形態２に従った超砥粒工具の平面図である。図９は、この発明の実施の形態２に従った超砥粒工具の底面図である。図１０は、図８中のＸ−Ｘ線に沿った断面図である。図１１は、図１０中のＸＩ−ＸＩ線で囲んだ部分の拡大図である。図１２は、この発明の実施の形態２に従った超砥粒工具の斜視図である。
【００５５】
これらの図を参照して、実施の形態２に従った超砥粒工具１０は、超砥粒層２０、台金３０、および突条部４０の寸法および超砥粒層２０の個数が実施の形態１と異なる。さらに、実施の形態１では側面２５が曲面状であったのに対して、実施の形態２では側面は平面状である。
【００５６】
（実施の形態３）
図１３は、この発明の実施の形態３に従った超砥粒工具の正面図である。図１４は、この発明の実施の形態３に従った超砥粒工具の平面図である。図１５は、この発明の実施の形態３に従った超砥粒工具の底面図である。図１６は、図１４中のＸＶＩ−ＸＶＩ線に沿った断面図である。図１７は、図１６中のＸＶＩＩ−ＸＶＩＩ線で囲んだ部分の拡大図である。図１８は、この発明の実施の形態３に従った超砥粒工具の斜視図である。
【００５７】
これらの図を参照して、実施の形態３に従った超砥粒工具１０では、実施の形態１の超砥粒工具１０と比較して、突条部４０のねじれ方向が反転して設けられている。すなわち、超砥粒工具１０の先端部３１側から右方向にねじれるように突条部４０が配置されている。
【００５８】
（実施の形態４）
図１９は、この発明の実施の形態４に従った超砥粒工具の正面図である。図２０は、この発明の実施の形態４に従った超砥粒工具の平面図である。図２１は、この発明の実施の形態４に従った超砥粒工具の底面図である。図２２は、図２０中のＸＸＩＩ−ＸＸＩＩ線に沿った断面図である。図２３は、図２２中のＸＸＩＩＩ−ＸＸＩＩＩ線で囲んだ部分の拡大図である。図２４は、この発明の実施の形態４に従った超砥粒工具の斜視図である。
【００５９】
これらの図を参照して、実施の形態４に従った超砥粒工具１０では、実施の形態２の超砥粒工具１０と比較して、突条部４０のねじれ方向が反転して設けられている。すなわち、超砥粒工具１０の先端部３１側から右方向にねじれるように突条部４０が配置されている。
【００６０】
（実施例１）
以下のような本発明の実施例１の超砥粒工具を製作して、本発明の効果を実験により確認した。
【００６１】
穿孔側が開口した円柱状の鋼製の台金３０で、サイズは、内径が１４２ｍｍ、外径が１４６ｍｍ、開口部長さ３５０ｍｍを準備した。この台金３０の先端部３１にメタルボンドでダイヤモンド砥粒を結合した超砥粒層２０からなるチップを８個、ロウ付けで接合した。チップのダイヤモンド粒度は＃１００、とした。
【００６２】
それから、このチップをＧＣ砥石により、ツルーイング・ドレッシングして、複数の外周面２３で形成される円の直径（外径）を１４８ｍｍ、複数の内周面２１で形成される円の直径（内径）を１４０ｍｍに仕上げた。超砥粒層２０の外周面２３、内周面２１および先端面２２の少なくとも工作物に接触する部分の振れを２０μｍとした。
【００６３】
次に、幅１２ｍｍ、厚み０．６ｍｍ、のフェノール樹脂製のテープを台金３０の外周面３８に接着して、幅Ｗが１２ｍｍ、高さＨが０．６ｍｍ、ねじれ角θが２０°の螺旋状の８条の樹脂の突条部４０を形成した。突条部４０の長さは３５０ｍｍであり、チップ先端部から底部５０へ延在する。これにより、本発明の実施例１の超砥粒工具１０（図１参照）を完成させた。
【００６４】
次に、本発明の実施例１の超砥粒工具１０を立型ロータリーテーブル方式の加工機に搭載し、工作物として、厚みが３００ｍｍのセラミックスを用い、これに穿孔加工実験を行った。超砥粒工具１０の回転数は毎分３０００回転とした。
【００６５】
実験の結果、３００ｍｍ深さまで切り込んでも工作物が破損すること無く、連続研削を実施することができた。加工によりくり抜かれた円柱状工作物の加工精度を測定したところ、円筒度１０μｍ以下であった。表面粗さは１μｍＲａ以下であり、目視で工作物にはスクラッチ（引っ掻き傷）は観察されなかった。
【００６６】
（比較例１）
比較例１では、螺旋状の突条部は形成していない。超砥粒層２０の外周面２３、内周面２１および先端面２２の少なくとも工作物に接触する部分の振れを２００μｍとした。これら以外は実施例１と同じ仕様とした。
【００６７】
この比較例１の超砥粒工具を実施例１と同じ条件で実験した結果、約８０ｍｍ深さまで切り込んだ時点で研削液の排出が著しく悪化し、ビビリ振動を発生し始めた。そして、約１５０ｍｍ深さまで切り込んだ時点でセラミックスにクラックが発生し、加工を中断した。
【００６８】
（実施例２）
以下のような本発明の実施例２の超砥粒工具を製作して、本発明の効果を実験により確認した。
【００６９】
穿孔側が開口した円柱状の鋼製の台金３０で、サイズは、内径が１００ｍｍ、外径が１０６ｍｍ、開口部長さ３００ｍｍを準備した。この台金３０の先端部３１にメタルボンドでダイヤモンド砥粒を結合した超砥粒層２０からなるチップを８個、ロウ付けで接合した。チップのダイヤモンド粒度は＃８０、とした。
【００７０】
次に、このチップをＧＣ砥石により、ツルーイング・ドレッシングして、複数の外周面２３で形成される円の直径（外径）を１０８ｍｍ、複数の内周面２１で形成される円の直径（内径）を９８ｍｍに仕上げた。超砥粒層２０の外周面２３、内周面２１および先端面２２の少なくとも工作物に接触する部分の振れを２０μｍとした。
【００７１】
次に、幅Ｗが６ｍｍ、高さＨが０．６ｍｍ、ねじれ角θが１５°の螺旋状の８条の突条部４０をエポキシ樹脂で形成した。突条部４０の長さは３００ｍｍであり、チップ先端部から底部５０へ延在する。これにより、本発明の実施例２の超砥粒工具１０（図１参照）を完成させた。
【００７２】
次に、本発明の実施例２の超砥粒工具を立型ロータリーテーブル方式の加工機に搭載し、工作物として、厚みが２５０ｍｍの石英ガラスを用い、これに穿孔加工実験を行った。超砥粒工具の回転数は毎分３０００回転とした。
【００７３】
実験の結果、２５０ｍｍ深さまで切り込んでも工作物が破損すること無く、連続研削を実施することができた。加工によりくり抜かれた円柱状工作物の加工精度を測定したところ、円筒度１０μｍ以下であった。表面粗さは１．５μｍＲａ以下であり、目視で工作物にはスクラッチ（引っ掻き傷）は観察されなかった。
【００７４】
（比較例２）
比較例２では、螺旋状の突条部は形成していない。超砥粒層２０の外周面２３、内周面２１および先端面２２の少なくとも工作物に接触する部分の振れを２００μｍとした。これら以外は実施例２と同じ仕様とした。
【００７５】
この比較例２の超砥粒工具を実施例２と同じ条件で実験した結果、約１００ｍｍ深さまで切り込んだ時点で研削液の排出が著しく悪化し、ビビリ振動を発生し始めた。そして、約１５０ｍｍ深さまで切り込んだ時点で切り込みが不可能となり、加工を中断した。
【００７６】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７７】
本発明は、ガラス、各種セラミックス、シリコン、サファイヤ等の穿孔加工に用いられることが考えられる。
【符号の説明】
【００７８】
１０  超砥粒工具、２０  超砥粒層、２１，３９  内周面、２２  先端面、２３，３８  外周面、２５  側面、３０  台金、３１  先端部、３２  開口、４０  突条部、５０  底部。
【図１】
2014018899.tif 000003
【図２】
2014018899.tif 000004
【図３】
2014018899.tif 000005
【図４】
2014018899.tif 000006
【図５】
2014018899.tif 000007
【図６】
2014018899.tif 000008
【図７】
2014018899.tif 000009
【図８】
2014018899.tif 000010
【図９】
2014018899.tif 000011
【図１０】
2014018899.tif 000012
【図１１】
2014018899.tif 000013
【図１２】
2014018899.tif 000014
【図１３】
2014018899.tif 000015
【図１４】
2014018899.tif 000016
【図１５】
2014018899.tif 000017
【図１６】
2014018899.tif 000018
【図１７】
2014018899.tif 000019
【図１８】
2014018899.tif 000020
【図１９】
2014018899.tif 000021
【図２０】
2014018899.tif 000022
【図２１】
2014018899.tif 000023
【図２２】
2014018899.tif 000024
【図２３】
2014018899.tif 000025
【図２４】
2014018899.tif 000026